(57)【要約】  【課題】吸入圧力に応じて吐出圧力を調圧してこれを制御圧力として圧縮機の斜板室内に導入するとともに、吐出圧力の上昇に応じて吸入圧力を降下させる高圧補正を行うようにされたもとで、高吐出圧時の圧力損失やエネルギロスを可及的に低減できるとともに、フロストを効果的に防止できる圧力調整弁を提供する。  【解決手段】斜板式可変容量型圧縮機に装備され、主弁体２０が配在された弁本体ハウジング１１と、吸入圧力Ｐｓを感知してそれを主弁体２０に伝える吸入圧応動手段１２と、を有し、この吸入圧応動手段１２により吸入圧力Ｐｓに応じて吐出圧力Ｐｄを調圧してこれを制御圧力Ｐｃとして圧縮機の斜板室内に供給するようにされる。そして、吐出圧力Ｐｄが低圧側所定圧以上のとき、吐出圧力Ｐｄの上昇に応じて吸入圧力Ｐｓを降下させる高圧補正手段４０、５０、５２を備え、高圧補正手段４０、５０に、吐出圧力が高圧側所定圧に達したら、それ以上吐出圧力が上昇しても吸入圧力を降下させないようにするための高圧補正ストッパ機構５１、４３が付設されてなる。【選択図】  図１
2006152934.tif 000002
【特許請求の範囲】
【請求項１】
斜板式可変容量型圧縮機に装備され、主弁体が配在された弁本体ハウジングと、前記圧縮機の吸入圧力を感知してそれを前記主弁体に伝える吸入圧応動手段と、を有し、該吸入圧応動手段により前記吸入圧力に応じて前記圧縮機の吐出圧力を調圧してこれを制御圧力として前記圧縮機の斜板室内に供給するようにされた圧力調整弁であって、
前記吐出圧力が低圧側所定圧以上のとき、前記吐出圧力の上昇に応じて吸入圧力を降下させる高圧補正手段を備え、該高圧補正手段に、前記吐出圧力が高圧側所定圧に達したら、それ以上吐出圧力が上昇しても吸入圧力を降下させないようにするための高圧補正ストッパ機構が付設されていることを特徴とする圧力調整弁。
【請求項２】
前記吸入圧応動手段は、ベローズ装置で構成されていることを特徴とする請求項１に記載の圧力調整弁。
【請求項３】
前記ベローズ装置は、前記吸入圧力が導入されるベローズケースと、該ベローズケース内に配在されるとともに、前記主弁体の一端部が当接せしめられる密閉構造のベローズ本体と、該ベローズ本体内に配在されてそれを伸張方向に付勢することにより前記主弁体を開弁方向に押圧するばね部材と、を備えていることを特徴とする請求項２に記載の圧力調整弁。
【請求項４】
前記吸入圧応動手段は、ダイアフラム装置で構成されていることを特徴とする請求項１に記載の圧力調整弁。
【請求項５】
前記ダイアフラム装置は、前記主弁体の一端部が当接せしめられるダイアフラムを有し、該ダイアフラムの一面側に前記吸入圧力が導入されるダイアフラム室が画成されるとともに、他面側に前記ダイアフラムを介して前記主弁体を開弁方向に付勢するばね部材が配在されるばね室が画成されていることを特徴とする請求項４に記載の圧力調整弁。
【請求項６】
前記高圧補正手段は、前記圧縮機の吐出圧力に応動して前記主弁体を閉弁方向に押圧する吐出圧応動部材と、該吐出圧応動部材と前記主弁体との間に配在された補正ばねと、を有していることを特徴とする請求項１から５のいずれか一項に記載の圧力調整弁。
【請求項７】
前記高圧補正ストッパ機構は、前記吐出圧力が前記高圧側所定圧に達したとき、前記吐出圧応動部材の閉弁方向の動きを規制するようにされていることを特徴とする請求項６に記載の圧力調整弁。
【請求項８】
前記主弁体は、前記弁本体ハウジング内に軸方向に摺動可能に配在された弁棒とこの弁棒に設けられた弁体部とからなり、前記弁本体ハウジングには、前記吐出圧力が導入される弁室が形成されるとともに、前記制御圧力の供給室が形成され、かつ、前記弁室と前記供給室との間に前記主弁体により開閉される弁口が形成された弁座が設けられていることを特徴とする請求項１から７のいずれか一項に記載の圧力調整弁。
【請求項９】
前記弁室内に、前記補正ばねが収容される補正ばね室を画成するための筒状のインナーケースが配在され、このインナーケースの内周に、前記弁棒の他端部がシール部材により気密的に封止された状態で軸方向に摺動可能に挿入されるとともに、前記弁棒に前記補正ばね室と前記吸入圧応動手段の吸入圧力部分とを連通するための均圧導通孔が形成されていることを特徴とする請求項８に記載の圧力調整弁。
【請求項１０】
前記高圧補正手段の吐出圧応動部材は、前記インナーケースの内周にシール部材により気密的に封止された状態で軸方向に摺動可能に挿入された円柱状体からなり、この円柱状体の一端部と前記弁棒の他端部との間に前記補正ばねが配在されるとともに、前記円柱状体の他端部が前記インナーケース外に露出せしめられて前記吐出圧力を受ける受圧面部となっていることを特徴とする請求項９に記載の圧力調整弁。
【請求項１１】
前記円柱状体に鍔状ストッパが設けられるとともに、前記インナケースの内周に前記鍔状ストッパが接当係止される固定ストッパが設けられ、前記鍔状ストッパと固定ストッパとで前記高圧補正ストッパ機構が構成されていることを特徴とする請求項１０に記載の圧力調整弁。
【請求項１２】
前記補正ばねと前記弁棒の他端部との間にばね受けが配在され、該ばね受けに、前記弁棒の均圧導通孔と前記補正ばね室とを連通させる導通孔が形成されるとともに、前記弁棒の他端部と前記ばね受けの反ばね側の面部とがそれぞれ相互に嵌合する円錐面、球面等の自動調芯用凹凸面で形成されていることを特徴とする請求項９から１１のいずれかに記載の圧力調整弁。
【請求項１３】
前記鍔状ストッパは、前記補正ばねのばね受けにもなっていることを特徴とする請求項１１又は１２に記載の圧力調整弁。
【発明の詳細な説明】
【技術分野】
【０００１】
本発明は、圧力調整弁に係り、特に、カーエアコン等に使用される斜板式可変容量型圧縮機に装備され、その吸入圧力に応じて吐出圧力を調圧してこれを制御圧力として圧縮機の斜板室内に導入するようにされた圧力調整弁に関する。
【背景技術】
【０００２】
一般に、斜板式可変容量型圧縮機では、斜板室の圧力上昇に応じて吐出容量を低減し、斜板室の圧力低下に応じて吐出容量を増大するようにされるが、かかる圧縮機に使用される圧力調整弁としては、下記特許文献１等に所載のように、圧縮機の吸入圧力を感知してそれを主弁体に伝えるベローズ装置やダイアフラム装置からなる吸入圧応動手段を有し、この吸入圧応動手段により吸入圧力を調圧してこれを制御圧力として斜板室に供給する（言い換えれば斜板室から圧力を抜く）ようにし、さらに、圧縮機の吐出圧力を主弁体の開弁方向に与えるか、又は、主弁体を開弁方向に付勢する補正ばねのばね荷重を吐出圧力の上昇に応じて増加させることにより、主弁体の開閉動作点を吐出圧力に応じて移行させ、これによって、吐出圧力の上昇に応じて吸入圧力を下降させる、いわゆる高圧補正を行うようにしたものが知られている。このような圧力制御方式は、通常、斜板室圧力抜き方式あるいは流出制御方式と呼ばれている。
【０００３】
それに対し、下記特許文献２等に所載の圧力調整弁では、前記と同様に、圧縮機の吸入圧力を感知してそれを主弁体に伝えるベローズ装置やダイアフラム装置からなる吸入圧応動手段を有するが、この吸入圧応動手段により吸入圧力に応じて圧縮機の吐出圧力を調圧してこれを制御圧力として斜板室に供給する（言い換えれば斜板室に圧力を付加する）ようにし、さらに、圧縮機の吐出圧力を主弁体の閉弁方向に与えるか、又は、主弁体を閉弁方向に付勢する補正ばねのばね荷重を吐出圧力の上昇に応じて増加させることにより、主弁体の開閉動作点を吐出圧力に応じて移行させ、これによって、吐出圧力の上昇に応じて吸入圧力を下降させる、いわゆる高圧補正を行うようにしたものが知られている。このような圧力制御方式は、通常、斜板室圧力付加方式あるいは流入制御方式と呼ばれている。
【特許文献１】特開平８−１７７７３５号公報
【特許文献２】特開２００４−１６２５６７号公報
【発明の開示】
【発明が解決しようとする課題】
【０００４】
ところで、最近、カーエアコン等においては、前記二方式の圧力調整弁のうち、後者のものが採用されつつあるが、後者の斜板室圧力付加方式あるいは流入制御方式の圧力調整弁において、吐出圧力の上昇に応じて際限なく吸入圧力を降下させる高圧補正を行うようにすると、高吐出圧時の圧力損失やエネルギロスが大きくなるとともに、フロスト（着霜）等の不具合が発生する。
【０００５】
本発明は、上記事情に鑑みてなされたもので、吸入圧力に応じて吐出圧力を調圧してこれを制御圧力として圧縮機の斜板室内に導入するようにされるとともに、吐出圧力の上昇に応じて吸入圧力を降下させる高圧補正を行うようにされたもとで、高吐出圧時の圧力損失やエネルギロスを可及的に低減できるとともに、フロストを効果的に防止できる圧力調整弁を提供することを目的とする。
【課題を解決するための手段】
【０００６】
前記の目的を達成すべく、本発明に係る圧力調整弁は、基本的には、斜板式可変容量型圧縮機に装備され、主弁体が配在された弁本体ハウジングと、前記圧縮機の吸入圧力を感知してそれを前記主弁体に伝える吸入圧応動手段と、を有し、この吸入圧応動手段により前記吸入圧力に応じて前記圧縮機の吐出圧力を調圧してこれを制御圧力として前記圧縮機の斜板室内に供給するようにされる。
【０００７】
そして、前記吐出圧力が低圧側所定圧以上のとき、前記吐出圧力の上昇に応じて吸入圧力を降下させる高圧補正手段を備え、該高圧補正手段に、前記吐出圧力が高圧側所定圧に達したら、それ以上吐出圧力が上昇しても吸入圧力を降下させないようにするための高圧補正ストッパ機構が付設されていることを特徴としている。
【０００８】
前記吸入圧応動手段は、好ましくは、ベローズ装置あるいはダイアフラム装置で構成される。この場合、前記ベローズ装置は、好ましくは、前記吸入圧力が導入されるベローズケースと、該ベローズケース内に配在されるとともに、前記主弁体の一端部が当接せしめられる密閉構造のベローズ本体と、該ベローズ本体内に配在されてそれを伸張方向に付勢することにより前記主弁体を開弁方向に押圧するばね部材と、を備える。また、前記ダイアフラム装置は、好ましくは、前記主弁体の一端部が当接せしめられるダイアフラムを有し、該ダイアフラムの一面側に前記吸入圧力が導入されるダイアフラム室が画成されるとともに、他面側に前記ダイアフラムを介して前記主弁体を開弁方向に付勢するばね部材が配在されるばね室が画成される。
【０００９】
前記高圧補正手段は、好ましくは、前記圧縮機の吐出圧力に応動して前記主弁体を閉弁方向に押圧する吐出圧応動部材と、該吐出圧応動部材と前記主弁体との間に配在された補正ばねと、を有する。
【００１０】
前記高圧補正ストッパ機構は、好ましくは、前記吐出圧力が前記高圧側所定圧に達したとき、前記吐出圧応動部材の閉弁方向の動きを規制するようにされる。
【００１１】
他の好ましい態様では、前記主弁体は、前記弁本体ハウジング内に軸方向に摺動可能に配在された弁棒とこの弁棒に設けられた弁体部とからなり、前記弁本体ハウジングには、前記吐出圧力が導入される弁室が形成されるとともに、前記制御圧力の供給室が形成され、かつ、前記弁室と前記供給室との間に前記主弁体により開閉される弁口が形成された弁座が設けられる。
【００１２】
この場合、好ましくは、前記弁室内に、前記補正ばねが収容される補正ばね室を画成するための筒状のインナーケースが配在され、このインナーケースの内周に、前記弁棒の他端部がシール部材により気密的に封止された状態で軸方向に摺動可能に挿入されるとともに、前記弁棒に前記補正ばね室と前記吸入圧応動手段の吸入圧力部分とを連通するための均圧導通孔が形成される。
【００１３】
他の好ましい態様では、前記高圧補正手段の吐出圧応動部材は、前記インナーケースの内周にシール部材により気密的に封止された状態で軸方向に摺動可能に挿入された円柱状体からなり、この円柱状体の一端部と前記弁棒の他端部との間に前記補正ばねが配在されるとともに、前記円柱状体の他端部が前記インナーケース外に露出せしめられて前記吐出圧力を受ける受圧面部とされる。
【００１４】
他の別の好ましい態様では、前記円柱状体に鍔状ストッパが設けられるとともに、前記インナケースの内周に前記鍔状ストッパが当接係止される固定ストッパが設けられ、前記鍔状ストッパと固定ストッパとで前記高圧補正ストッパ機構が構成される。
【００１５】
さらに別の好ましい態様では、前記補正ばねと前記弁棒の他端部との間にばね受けが配在され、該ばね受けに、前記弁棒の均圧導通孔と前記補正ばね室とを連通させる導通孔が形成されるとともに、前記弁棒の他端部と前記ばね受けの反ばね側の面部とがそれぞれ相互に嵌合する円錐面、球面等の自動調芯用凹凸面で形成される。
【００１６】
また，前記鍔状ストッパは、好ましくは、前記補正ばねのばね受けとしても使用される。
【発明の効果】
【００１７】
本発明に係る圧力調整弁は、高圧補正ストッパ機構を備えているので、吸入圧力に応じて吐出圧力を調圧してこれを制御圧力として圧縮機の斜板室内に導入するとともに、吐出圧力の上昇に応じて吸入圧力を降下させる高圧補正を行うようにされたもとで、高吐出圧時の圧力損失やエネルギロスを可及的に低減できるとともに、フロストを効果的に防止できる。
【発明を実施するための最良の形態】
【００１８】
以下、本発明の実施形態を図面を参照しながら説明する。
図１は、本発明に係る圧力調整弁の一実施形態を示す縦断面図である。図示の圧力調整弁１０は、可変容量型圧縮機の斜板室近傍に形成される弁装着部９に組み付けられるもので、弁棒２０Aと弁体部２１からなる主弁体２０が配在された弁本体ハウジング１１と、前記圧縮機の吸入圧力Ｐｓを感知してそれを前記主弁体２０に伝える吸入圧応動手段としてのベローズ装置１２と、を有する。
【００１９】
前記ベローズ装置１２は、前記弁本体ハウジング１１にかしめ固定されるとともに、圧縮機の弁装着部９に止め輪５９等で固定されたベローズケース１３を有し、このベローズケース１３内には密閉構造のベローズ本体３０（内部は真空圧）が配在されている。
【００２０】
ベローズ本体３０は、有底蛇腹状のベローズ３３、該ベローズ３３の開口（下端）を閉塞するように溶接接合された可動側当金部材３１、及び、ベローズ３３の肉厚底部（天底）３３ａに当接せしめられた固定側当金部材３２と、を備え、ベローズ本体３０内における当金部材３１と３２との間には、ベローズ３３を伸張方向に付勢する（可動側当金部材３１を下方に付勢する）ことにより主弁体２０を開弁方向に押圧する圧縮コイルばね３５が縮装されている。
【００２１】
また、可動側当金部材３１は、前記圧縮コイルばね３５の下端を受けるばね受けともなる、弁本体ハウジング１１に当接係止される円環板状の基板部３１ａと、主弁体２０の半球状一端部２０ａが嵌挿される凸状ストッパ部３１ｂとからなり、この凸状ストッパ部３１ｂの底面（上面）が主弁体２０に対する押圧面部及び最大収縮量を規定するストッパ面部とされる。また、可動側当金部材３１が弁本体ハウジング１１に激しく衝接するのを防止するため、弁本体ハウジング１１の上部には緩衝ばね３６が可動側当金部材３１に当接した状態で縮装されている。
【００２２】
前記固定側当金部材３２は、前記圧縮コイルばね３５の上端を受けるばね受けともなる円環板状の基板部３２ａと、最大収縮量を規定するストッパ面部となる通孔３２ｃ付き底部を有する凹状ストッパ部３２ｂと、からなっている。
【００２３】
ベローズケース１３には、吸入圧力ポート３４が形成されており、ベローズ本体３０は、ポート３４からベローズケース１３内に導入される吸入圧力Ｐｓとベローズ内圧（真空圧）との差圧に応じて伸縮する。
【００２４】
ベローズケース１３の上部に形成された雌ねじ部１３ａには調整ねじ部材３７が螺合せしめられており、該調整ねじ部材３７の螺合量を調節することにより、前記圧縮コイルばね３５の初期セット荷重が設定される。
【００２５】
一方、前記主弁体２０は、弁本体ハウジング１１に設けられた弁嵌挿孔１９に軸方向に摺動可能に嵌挿された弁棒２０Ａとこの弁棒２０Ａの下部近くに設けられた弁体部２１とからなり、前記弁本体ハウジング１１には、その下部に圧縮機の吐出圧力Ｐｄが吐出圧導入ポート４４を介して導入される弁室１４（形成部）が設けられるとともに、制御圧力Ｐｃの供給室１７（供給ポート１８）が形成され、かつ、弁室１４と供給室１７との間に主弁体２０の弁体部２１により開閉される弁口１６が形成された弁座１５が設けられている。なお、吐出圧導入ポート４４にはストレーナ４８が被着されている。
【００２６】
また、前記弁本体ハウジング１１の下部（弁室１４）には、高圧補正手段の主要部を構成する圧縮コイルばねからなる補正ばね５２が収容される補正ばね室４５を画成するための段付き円筒状のインナーケース４０が装着されてその下端部がかしめ固定されており、このインナーケース４０の上部内周に、弁棒２０Ａの他端部２０ｂがシール部材２７により気密的に封止された状態で軸方向に摺動可能に挿入されるとともに、前記弁棒２０Ａに前記補正ばね室４５とベローズケース１３の吸入圧力部分（吸入圧力ポート３４等）とを連通するための均圧導通孔２２が形成されている。
【００２７】
前記インナーケース４０の下部内周には、高圧補正手段の吐出圧応動部材を構成する円柱状体５０がシール部材４７により気密的に封止された状態で軸方向に摺動可能に挿入されている。この円柱状体５０の上端部と弁棒２０Ａの他端部５５ａとの間に補正ばね５２が配在されるとともに、該円柱状体５０の他端部がインナーケース４０外に露出せしめられて吐出圧力Ｐｄを受ける受圧面部５０ａとなっている。
【００２８】
そして、前記円柱状体５０の上部（補正ばね室４５側）に鍔状ストッパ５１が設けられるとともに、前記インナケース４０の中間部内周に形成されている大径部と小径部との段差部が前記鍔状ストッパ５１が当接係止される固定ストッパ４３とされ、前記鍔状ストッパ５１と固定ストッパ４３とで高圧補正ストッパ機構が構成されている。
【００２９】
また、前記補正ばね５２と弁棒２０Ａの他端部５５ａとの間にばね受け５５が配在され、該ばね受け５５に、前記弁棒２０の均圧導通孔２２と補正ばね室４５とを連通させる導通孔５６が形成されるとともに、弁棒２０ａの他端部２０ｂとばね受け５５の反ばね側の面部５５ａとがそれぞれ相互に嵌合する円錐面、球面等の自動調芯用凹凸面で形成されている。なお、鍔状ストッパ５１は、補正ばね５２のばね受けにもなっている。また、前記弁本体ハウジング１１及びベローズ装置１２と圧縮機の弁装着部９との間等の要所にはシール部材２８、２８、２９が配設されている。
【００３０】
次に、上記の如くの構成とされた本実施形態の圧力調整弁１０の動作を説明する。
圧縮機の吐出圧力Ｐｄは、吐出圧導入ポート４４を介して弁室１４に導入されるとともに、円柱状体５０の端面である受圧面部５０ａにも作用し、円柱状体５０は、補正ばね５２及びばね受け５５を介して主弁体２０（の弁棒２０Ａ）を閉弁方向に押圧する。一方、圧縮機の吸入圧力Ｐｓは、吸入圧力ポート３４からベローズケース１３内に入り、ベローズ本体３０（内部は真空圧）を収縮（主弁体２０を閉弁）させる方向に働く。また、圧縮コイルばね３５のばね力（ばね荷重）は、ベローズ本体３０を伸張（主弁体２０を開弁）させる方向に働く。したがって、主弁体２０には、閉弁方向に吐出圧力Ｐｄと、補正ばね５２のばね力（ばね荷重）と、吸入圧力Ｐｓと、が作用し、開弁方向にはベローズ装置１２の圧縮コイルばね３５のばね力が作用することになり、主弁体２０は、それらの閉弁力と開弁力との平衡関係により開閉駆動されることになる。主弁体２０が開弁すると、その開度に応じて吐出圧力Ｐｄが弁口１６で適正な圧力に絞られて制御圧力Ｐｃとして供給室１７及び供給ポート１８を介して斜板室に供給される。
【００３１】
ここで、吐出圧力Ｐｄが低いとき（高圧側所定圧Ｄａより低いとき）には、圧縮コイルばね５２のばね力によりベローズ本体３０が最大伸張状態とされて、主弁体２０は開弁（全開）状態となり、主弁体２０を閉弁させるためには、高い吸入圧力Ｐｓが必要となるので、主弁体２０の開閉動作圧、つまり、吸入圧力ＰｓはＰｄ＝Ｄａのとき比較的高い吸入圧Ｓｂとなり、ＰｄがＤａより更に低くなると、それに応じてＰｓも低下する（図３のＡ期間）。
【００３２】
それに対し、吐出圧力Ｐｄが低圧側所定圧Ｄａより高くなると、吐出圧力の上昇に応じて閉弁力が大きくなり、主弁体２０の開度（弁口１６の実効開口面積）が吐出圧力Ｐｄの上昇に応じて小さくされるので、吐出圧力Ｐｄが適正な圧力に絞られて制御圧力Ｐｃとして斜板室に供給されるとともに、主弁体２０の開閉動作圧（吸入圧力Ｐｓ）は吐出圧力の上昇に応じて降下する（図３のＢ期間）。
【００３３】
そして、吐出圧力Ｐｄが高圧側所定圧Ｄｂに達すると、本実施形態では、吐出圧力Ｐｄに応動して主弁体２０を閉弁方向に押圧する吐出圧応動部材としての円柱状体５０に設けられた鍔状ストッパ５１がインナーケース４０に設けられた固定ストッパ４３に衝接係止され、これにより、円柱状体５０の閉弁方向の動きが止められ、吐出圧力Ｐｄが高圧側所定圧Ｄｂ以上となっても補正ばね５２のばね荷重が一定となる。そのため、主弁体２０の開閉動作圧（吸入圧力Ｐｓ）は吐出圧力Ｐｄが上昇しても変わらずに一定圧Ｓａを保つ（図３のＣ期間）。
【００３４】
このように、本実施形態では、鍔状ストッパ５１と固定ストッパ４３とからなる高圧補正ストッパ機構を備えているので、吸入圧力に応じて吐出圧力を調圧してこれを制御圧力として圧縮機の斜板室内に導入するとともに、吐出圧力の上昇に応じて吸入圧力を降下させる高圧補正を行うようにされたもとで、高吐出圧時の圧力損失やエネルギロスを可及的に低減できるとともに、フロストを効果的に防止できる。
【００３５】
図２は、本発明に係る圧力調整弁の他の実施形態を示す縦断面図である。
本実施形態の圧力調整弁１０’は、吸入圧応動手段として、前記実施形態のベローズ装置１２に代えてダイアフラム装置６０が用いられており、それ以外の構成は前記実施形態と同じである（重複説明は省略）。本実施形態のダイアフラム装置６０は、前記主弁体２０の一端部２０ａが当接せしめられるダイアフラム６３を有し、該ダイアフラム６３の一面側に吸入圧力Ｐｓが導入されるダイアフラム室６０Ａが画成されるとともに、他面側にばね受け当て金６６及びダイアフラム６３を介して前記主弁体２０を開弁方向に付勢する圧縮コイルばね６５が配在されたばね室６０Ｂ（真空圧）が画成されている。
【００３６】
より詳細には、ダイアフラム６３の外周部分をそのフランジ部で挟圧保持（電子ビーム溶接）する上下のケース６１、６２を有し、上ケース６１により前記ばね室６０Ｂが形成され、下ケース６２により前記ダイアフラム室６０Ａが形成されており、この下ケース６２が弁本体ハウジング１１にかしめ固定されている。また、弁本体ハウジング１１の上端中央部には、前記弁棒２０Ａの上部が嵌挿されるとともに、前記ダイアフラム６３を受ける円筒状ストッパ部１１Ａが上向きに突設されている。また、弁棒２０Ａの上部には均圧導通孔２２に連なる横穴２２ｅが形成され、円筒状受け部１１Ａの上部には、弁棒２０Ａとの間に比較的大きな隙間が形成されるように大内径部１１ｄが形成されるとともに前記横穴２２ｅに並ぶように横穴１１ｅが形成されている。
【００３７】
このような構成とされた圧力調整弁１０’においては、圧縮機の吸入圧力Ｐｓは、吸入圧力ポート３４からダイアフラム室６０Ａ内に入り、ダイアフラム６３を圧縮コイルばね６５（内部は真空圧）の付勢力に抗して上方へ凹ます方向に働く。また、圧縮コイルばね６５のばね力（ばね荷重）は、ダイアフラム６３を下方に凹ます方向に働く。したがって、主弁体２０には、閉弁方向に吐出圧力Ｐｄと、補正ばね５２のばね力（ばね荷重）と、吸入圧力Ｐｓと、が作用し、開弁方向にはダイアフラム装置６０の圧縮コイルばね３５のばね力が作用することになり、主弁体２０は、それらの閉弁力と開弁力との平衡関係により開閉駆動されることになる。主弁体２０が開弁すると、その開度に応じて吐出圧力Ｐｄが弁口１６で適正な圧力に絞られて制御圧力Ｐｃとして供給室１７及び供給ポート１８を介して斜板室に供給される。他の構成は前記実施形態と略同様であり、本実施形態の圧力調整弁１０’においても前記実施形態と略同様な作用効果が得られる。
【図面の簡単な説明】
【００３８】
【図１】本発明に係る圧力調整弁の一実施形態を示す縦断面図。
【図２】本発明に係る圧力調整弁の他の実施形態を示す縦断面図。
【図３】本発明に係る圧力調整弁の動作説明に供されるグラフ。
【符号の説明】
【００３９】
１０、１０’  圧力調整弁
１２  ベローズ装置
１４  弁室
１６  弁口
２０  主弁体
２０Ａ  弁棒
２１  弁体部
４０  インナーケース
４３  固定ストッパ（段差部）
５０  円柱状体（吐出圧応動部材）
５１  鍔状ストッパ
５２  補正ばね
５５  ばね受け
６０  ダイアフラム装置
Ｐｄ  吐出圧力
Ｐｓ  吸入圧力
Ｐｃ  制御圧力
【図１】
2006152934.tif 000003
【図２】
2006152934.tif 000004
【図３】
2006152934.tif 000005